【事件の表示】
　特願２０００−１６５５５４「画像処理装置」拒絶査定不服審判事件〔平成１３年　２月　９日出願公開、特開２００１−　３６６８１〕について、次のとおり審決する。
【結　論】
　本件審判の請求は、成り立たない。
【理　由】
１．手続の経緯
　本願は、平成３年１０月４日に出願された特願平３−２５８９１１４号（優先権主張１９９０年１０月１０日、米国）の一部を平成１２年６月２日に新たな特許出願としたものであって、平成１４年１１月２５日付けで拒絶査定がなされ、平成１５年１月６日付けで審判請求がされ、平成１６年２月２６日付けで当審により拒絶理由が通知され、それに対して、平成１６年４月２６日付けで、意見書とともに手続補正書が提出された。
　
２．本願発明
　平成１６年４月２６日付け手続補正書の特許請求の範囲の請求項１の記載は次のとおりである。
　
「画像処理装置において、原稿自動送り装置を用いて画像データを入力する第１の入力手段、プラテン上に原稿を載置して画像データを入力する第２の入力手段、前記第１または第２の入力手段により入力した画像データを蓄積するハードディスク、前記第１または第２の入力手段により入力した画像データの出力順序を制御する出力順序制御手段、および前記出力手段からの出力に応じて前記ハードディスクの画像データを消去する消去手段を備えたことを特徴とする画像処理装置。」
　
　上記記載において「前記出力手段」とあるが、「出力手段」との記載はこの箇所しかないから、この記載は何らかの過誤によるものといえる。そして、請求項２の記載及び発明の詳細な説明の記載を参酌して、本願の請求項１に係る発明（以下、本願発明という。）は、次のとおりと認める。
　
「画像処理装置において、原稿自動送り装置を用いて画像データを入力する第１の入力手段、プラテン上に原稿を載置して画像データを入力する第２の入力手段、前記第１または第２の入力手段により入力した画像データを蓄積するハードディスク、前記第１または第２の入力手段により入力した画像データの出力順序を制御する出力順序制御手段、前記出力順序制御手段により出力順序を制御された画像データを出力する出力手段、および前記出力手段からの出力に応じて前記ハードディスクの画像データを消去する消去手段を備えたことを特徴とする画像処理装置。」
　
３．引用文献
　平成１６年２月２６日付けで当審により通知された拒絶理由で引用された引用文献１−３には次の記載がなされている。
　
　引用文献１．特開昭６３−６２４６６号公報
（１）「原稿を光学的に読取って画信号に変換出力する原稿読取手段と、
　画信号を原稿１頁単位で一時的に記憶する第１の記憶手段と、
　該第１の記憶手段の記憶内容複数を記憶する第２の記憶手段と、
　前記第１の記憶手段の記憶内容を記録して画像の再生を行う記録手段と、
　複写されるべき原稿の順序及びその数を設定するための複写条件設定手段と、
　前記原稿読取手段から順次出力される画信号を前記第１の記憶手段に１頁単位で一旦記憶させた後、前記第２の記憶手段に記憶させる手段と、
　前記複写条件設定手段に設定されている原稿の複写順序に従って前記第２の記憶手段の記憶内容を１頁単位で順次読出して前記第１の記憶手段に記憶させ、これを前記複写条件設定手段に設定されている原稿の複写枚数だけ反復して前記記録手段にて記録させる手段と
　を備えたことを特徴とする複写装置。」
（特許請求の範囲第１項、第１頁左下欄第４行−右下欄第５行）
　
（２）「本発明は複写装置に関し、さらに詳述すれば、複写すべき原稿の画像を画像データとして記憶装置に記憶し、これを再度画像化することにより原稿の複写を行うべくなした複写装置に関する。」
（第２頁左上欄第１１行−第１４行）
　
（３）「２は原稿読取装置であり、具体的には一次元イメージセンサにて原稿を１ライン単位でドットパターンを表す光学信号として読取り、これを直列の電気的デジタル信号にて表された画信号に変換し、直列／並列（Ｓ／Ｐ）変換回路３へ出力する。
　直列／並列変換回路３は原稿読取装置２から与えられる直列のデジタル画信号をたとえば８ビット単位の並列信号に変換する。
　図中４，５，６はＤＭＡ（ダイレクト・メモリ・アクセス）コントローラであり、第１のＤＭＡコントローラ４は直列／並列変換回路３とページメモリ７との間のあるいはページメモリ７と並列／直列（Ｐ／Ｓ）変換回路１０との間の、また第２のＤＭＡコントローラ５はページメモリ７と符号・復号化回路８との間の、更に第３のＤＭＡコントローラ６は符号・復号化回路８と磁気ディスクメモリ９との間のそれぞれ直接的な、換言すれば主制御部１を介さないデータの送受（ダイレクト・メモリ・アクセス）の制御を実行する。
　ページメモリ７は、ＤＭＡコントローラ４により直列／並列変換回路３を介して原稿読取装置２から、または後述する如くＤＭＡコントローラ５により符号・復号化回路８を介して磁気ディスクメモリ９から転送される１ライン単位の画信号を順次蓄積記憶して原稿１枚、即ち１頁分の画信号を記憶する。このページメモリ７の記憶内容は、ＤＭＡコントローラ５により符号・復号化回路８を介して磁気ディスクメモリ９へ、またはＤＭＡコントローラ４を介して並列／直列変換回路１０へ転送される。
（中略）
そして、ＤＭＡコントローラ５によりページメモリ７から符号・復号化回路８に転送されて符号化された信号は更にＤＭＡコントローラ６により磁気ディスクメモリ９に転送され、原稿１枚に対応する符号情報を１単位として記憶される。また逆に、ＤＭＡコントローラ６により磁気ディスクメモリ９から符号信号が読出された場合には、符号・復号化回路８にて復号化されて更にＤＭＡコントローラ５によりページメモリ７に転送されて１枚の原稿の画信号を１単位として記憶される。」
（第３頁右上欄第１７行−第４頁左上欄第４行）
　
（４）「キースイッチ１３は複数のキーが配列されており、複写条件の設定、たとえば複写枚数の設定、複写順序の指定、複写時刻の設定等が行える。
　以上のような構成の本発明の複写装置の動作について以下に説明する。
　第２図は本発明装置に原稿を読取らせる際の主制御部１の制御内容を示すフローチャートである。
　まず、キースイッチ１３により複写条件の設定を行う。この複写条件の設定は、たとえば
　（１）複数枚の原稿を１組として複写するか（セットモード）、任意の原稿を任意の順に任意の枚数複写するか（ランダムモード）の選択、
　（２）セットモードの際の複写部数、
　（３）ランダムモードの場合の複写順序、複写枚数の設定、
　（４）複写時刻、等が可能である。」
（第４頁左上欄第１５行−右上欄第１０行）
　
（５）「次に、ランダムモードの複写動作について第４図のフローチャートに従って説明する。
　このランダムモードの複写動作においても、複写時刻が設定されている場合には、主制御部１はその時刻に設定された条件に従って複写を行う。
　さて、ランダムモードでは、まず主制御部１は予め設定されている原稿の複写順序の次順に複写すべき原稿（最初は、複写順位第１番の原稿）の符号信号をＤＭＡコントローラ６に磁気ディスクメモリ９から符号・復号化回路８へ転送させて復号化し、これをＤＭＡコントローラ５にページメモリ７へ転送させて記憶させる。このようにして原稿１枚分の画信号がページメモリ７に記憶されると、主制御部１はＤＭＡコントローラ４にページメモリ７の記憶内容を順次１ライン分ずつ並列／直列変換回路１０に転送させる。並列／直列変換回路１０に転送された画信号は直列のデジタル画信号に変換されてインターフェイス１１から記録装置１２に与えられて原稿の複写像が再生される。
　このようにしてページメモリ７に記憶されている原稿１枚分の画信号の記録装置１２による再生複写が１枚行われると、その原稿の画信号は未だページメモリ７に記憶されているので、主制御部１は同様の処理をその原稿に対して設定されている複写枚数分だけ反復することにより、設定された枚数の複写を行う。
　そして、主制御部１は、１枚の原稿についてその設定複写枚数の再生複写が終了すると、次の複写順位が設定されている原稿についても上述同様の処理を反復し、以下、磁気ディスクメモリ９にその画信号の符号信号が記憶されていて複写順位が設定されている総ての原稿について同様の処理を反復する。これにより、任意の時間に任意の原稿を任意の数だけ複写することが可能である。」
（第５頁右上欄第１行−左下欄第１４行）
　
　引用文献２．特開平２−９６４６１号公報（平成２年４月９日出願公開）（６）「（１）原稿台を装置本体に対して移動させて画像読取を行なうと共に、前記原稿台に、給紙されるシート状の原稿の画像読取を行うＡＤＦ機構を設け、読み取った原稿画像を送信するファクシミリ装置において、
　前記ＡＤＦ機構を前記原稿台に固定すると共に、前記原稿台に原稿カバーを開閉自在に取付け、原稿台による送信とＡＤＦ機構による送信とを選択的、かつ連続的に行うようにしたことを特徴とするファクシミリ装置」
（特許請求の範囲、第１頁左下欄第５行−第１４行）
　
（７）「しかしながら、従来のファクシミリ装置ではＡＤＦ機構へのシート原稿のセットと、原稿台へのブック原稿のセットとを同時に行なうことができず、尚且つ連続してシート原稿とブック原稿を送信することができなかったため、以下に示す欠点がある。
　即ち、ファクシミリ装置ではシート原稿とブック原稿とを同一の相手先に送信する必要を生じる場合があるが、この場合に、まずブック原稿のコピーを行ない、しかる後コピー原稿をシート原稿としてＡＤＦ機構で送信するか、シート原稿の送信とブック原稿の送信とを別々に行なう送信方法が考えられるが、いずれの送信方法にあっても異なる操作を２回行なう必要があるので、操作性が著しく悪くなる。
　本発明はかかる従来技術の欠点を解消するためになされたものであり、ＡＤＦ機構と原稿台への原稿のセットを同時に行え、尚且つ連続送信できる構成とすることにより、操作性を格段に向上できることになるファクシミリ装置を提供することを目的とする。
（中略）
　しかるときは、ＡＤＦ機構と原稿台への原稿のセットが同時にでき、タイムラグを生じることなく両者の送信が連続的に行えることになる。
（中略）
　このファクシミリ装置は装置本体２の上面に、左隅部にＡＤＦ機構１０を固定配置した原稿台１を左右方向への移動可能に設けた基本構造になっており、ファクシミリ装置の一機能としてのコピー機能は以下のようにして発揮されるようになっている。
　即ち、ＡＤＦ機構１０を駆動してシート原稿（図示せず）のコピーを行ない、原稿台１を左右に移動させてブック原稿Ｂ（第６図参照）のコピーを行なう構成になっている。」
（第２頁左上欄第６行−左下欄第１７行）
　
　引用文献３．特開昭６２−２６５８６３号公報
（８）「（産業上の利用分野）
　　この発明は、たとえば記憶されている画像情報を読出して編集処理を行なう画像情報編集装置などの画像情報処理装置に関する。
　　（従来の技術）
　　最近、たとえば光ディスクなどの記憶媒体に記憶されている文書などの画像情報を読出し、この読出した画像情報に対して、ある文書を切取り他の文書と合成して目的の文書を編集し、この編集した文書を光ディスクに順次記憶したり、あるいは出力装置たとえばＣＲＴディスプレイ装置あるいは記録装置で目視し得る状態に出力する画像情報編集装置が開発されている。
　しかしながら、上記のような装置で編集処理を行なう場合、書類単位で画像情報を読出して処理を行うようになっている。すなわち、書類とは１つのまとまった文書の単位であり、１つの画像情報が１頁として、１頁あるいは複数頁分の画像情報から１つの書類が構成されている。したがって、編集処理を行う場合、異なる書類の任意の頁をそれぞれ読出して合成し別の書類を作成したり、ある書類に別の書類の任意の頁を読出して追加したり挿入することができないという欠点があった。つまり、たとえば１０頁からなる書類Ａと５頁からなる書類Ｂとから新しい書類として１５頁からなる書類Ｃを作成することはできるが、１０頁からなる書類Ａの２頁目と、５頁からなる書類Ｂの１頁目を読出して新しい書類Ｃを作成したり、読出した１０頁からなる書類Ａに、５頁からなる書類Ｂから読出した１頁目を追加したりあるいは挿入するということができなかった。
　　（発明が解決しようとする問題点）
　　この発明は、上記の書類単位の編集処理しか行うことができないという欠点を除去し、異なる書類の任意の頁をそれぞれ読出して編集処理を行うことができる画像情報処理装置を提供することを目的とする。」
（第２頁左上欄第１行−右上欄第１７行）
　
（９）「［実施例］
　　以下、この発明の一実施例について図面を参照して説明する。
（中略）
　２０は読取装置、たとえば二次元走査装置で、原稿（文書）を２１上をレーザビーム光で二次元走査することにより、上記原稿２１上の画像情報に応じた電気信号を得るものである。２２は光ディスク装置で、上記二次元走査装置２０で読取られて上記主制御装置１１を介して供給される画像情報などを光ディスク１９に順次記憶、あるいは光ディスク１９に記憶されている画像情報などを読出すものである。すなわち、光ディスク装置２２と光ディスク１９とにより画像記憶部１が構成されているものである。
（中略）
　２５は記録装置で、二次元走査装置２０で読取られて主制御装置１１を介して供給される画像情報あるいは光ディスク装置２２から読出されて主制御装置１１を介して供給される画像情報などをハードコピー２６として出力するものである。
（中略）
　上記書類管理テーブル記憶エリア２８ｂには、第８図に示すように、検索コードごとに、書類の各頁に対応して画像番号が記憶されるようになっており、たとえば書類の先頭頁から順に「１、２、…」と示す頁番号、及び画像番号「１００、１０５、…」とが対応して記憶されるようになっている。
　上記記憶アドレス記憶エリア２８ｃには、第９図に示すように、上記書類管理テーブル記憶エリア２８ｂに記憶される画像番号に対応して、各画像情報の画像情報セクタ数Ｌ、画像情報先頭アドレスとしてのトラックナンバＴ・ＡＤＲとセクタナンバＳ・ＡＤＲ、画像サイズＳからなる記憶アドレスが記憶されるようになっている。」
（第２頁右下欄第２行−第４頁右上欄第１８行）
　
（１０）「次に、このような構成において動作を説明する。ここでは、書類Ｘの第２頁目を第１頁、書類Ｙの第１頁目を第２頁として新しい第３の書類Ｚを作成する合成編集について、第２図に示す動作状態図、および第１０図に示すフローチャートを参照して説明する。
（中略）
　これにより、書類の任意の頁を検索すると画像番号が決まり、この画像番号によって記憶アドレスが決り、この記憶アドレスにより光ディスクから画像情報が読出される。したがって、書類における頁ごとに画像情報を読出すことができるため、書類を効率良く利用することが可能となる。また、すでに登録されている書類から任意の頁を読み出し、読出した異なる書類における頁同士を合成編集することにより別の書類を作成することができるため、登録時の煩雑さを軽減することが可能となる。
　すなわち、たとえば１０頁からなる書類Ａの２頁目と、５頁からなる書類Ｂの１頁目を読出して新しい書類Ｃを作成したり、読出した１０頁からなる書類Ａに、５頁からなる書類Ｂから読出した１頁目を追加したりあるいは挿入することができ、書類を効率良く利用したり、登録時の煩雑さを軽減することが可能となる。」
（第４頁右上欄第１９行−第５頁右下欄第７行）
　
４．対比
　以下、本願発明と引用文献１の特許請求の範囲第１項に記載された発明（以下、引用発明という。）とを対比する。
　引用発明の複写装置は、上記３．（１）のとおり構成されたものであり、上記３．（２）のとおり画像データを扱うものであるから、画像処理装置といえる。
　引用発明の「原稿を光学的に読取って画信号に変換出力する原稿読取手段」と本願発明の「原稿自動送り装置を用いて画像データを入力する第１の入力手段、プラテン上に原稿を載置して画像データを入力する第２の入力手段」とは、後記する相違点で異なるものの、原稿の画像データを入力する入力手段である点では変わりはない。
　引用発明の「該第１の記憶手段の記憶内容複数を記憶する第２の記憶手段」は、上記２．（３）のように磁気ディスクメモリで構成されるものであるから、本願発明の「前記第１または第２の入力手段により入力した画像データを蓄積するハードディスク」と、後記する相違点で異なるものの、入力手段により入力した画像データを蓄積するハードディスクである点では変わりはない。
　引用発明の「複写されるべき原稿の順序及びその数を設定するための複写条件設定手段」と本願発明の「前記第１または第２の入力手段により入力した画像データの出力順序を制御する出力順序制御手段」とは、後記する相違点で異なるものの、入力手段により入力した画像データの出力順序を制御する出力順序制御手段である点では変わりはない。
　引用発明の「前記第１の記憶手段の記憶内容を記録して画像の再生を行う記録手段」は、「前記複写条件設定手段に設定されている原稿の複写順序に従って前記第２の記憶手段の記憶内容を１頁単位で順次読み出して前記第１の記憶手段に記憶させ、これを前記複写条件設定手段に設定されている原稿の複写枚数だけ反復して前記記録手段にて記録させる手段」とにより、蓄積された画像データを出力するものであるから、本願発明の「前記出力順序制御手段により出力順序を制御された画像データを出力する出力手段」と同様の機能を有するものである。
　したがって、両者は次の点で一致するといえる。
　
「画像処理装置において、原稿の画像データを入力する入力手段、前記入力手段により入力した画像データを蓄積するハードディスク、前記入力手段により入力した画像データの出力順序を制御する出力順序制御手段、前記出力順序制御手段により出力順序を制御された画像データを出力する出力手段、を備えたことを特徴とする画像処理装置。」
　
　また、次の点で相違する。
　
　相違点１
　本願発明では、原稿の画像データを入力する入力手段が「原稿自動送り装置を用いて画像データを入力する第１の入力手段、プラテン上に原稿を載置して画像データを入力する第２の入力手段」であるのに対して、引用発明ではその具体的な構成が明かでなく、また、それにともない、本願発明では、前記入力手段により入力した画像データを蓄積するハードディスク、及び前記入力手段により入力した画像データの出力順序を制御する出力順序制御手段が、それぞれ、「前記第１または第２の入力手段により入力した画像データを蓄積するハードディスク」、及び「前記第１または第２の入力手段により入力した画像データの出力順序を制御する出力順序制御手段」である点。
　
　相違点２
　本願発明では、「前記出力手段からの出力に応じて前記ハードディスクの画像データを消去する消去手段」を備えているのに対して、引用発明では、そのような手段については明かでない点。
　
　なお、引用発明では、ハードディスクである磁気ディスクで構成される「第２の記憶手段」の他に「画信号を原稿１頁単位で一時的に記憶する第１の記憶手段」を備えているのに対して、本願発明では「ハードディスク」以外には特定がないが、本願発明においても、その実施例には「ページバッファ８」が設けられており、このようなバッファメモリを設けることは周知のことであり、ハードディスクを効果的に機能させるためには当然必要になるものである。したがって、このようなバッファメモリについて記載されていないことは、特許請求の範囲の記載要件を満たさないものではないし、技術的な相違点にもなりえない。
　
５．相違点に対する判断
　相違点１について
　引用文献２には、上記３．（６）のように原稿台を装置本体に対して移動させて画像読取を行なうと共に、前記原稿台に、給紙されるシート状の原稿の画像読取を行うＡＤＦ機構を設けることが示されており、入力手段を原稿自動送り装置を用いて画像データを入力する第１の入力手段、プラテン上に原稿を載置して画像データを入力する第２の入力手段とし、ハードディスク、及び出力順序制御手段を、前記第１または第２の入力手段により入力した画像データを蓄積するハードディスク、及び前記第１または第２の入力手段により入力した画像データの出力順序を制御する出力順序制御手段とすることに困難な点はない。
　なお、原出願である特願平３−２５８９１１４号の請求項１に係る発明の「前記蓄積手段に蓄積された画像データの出力順序情報を前記第１の画像読取手段と前記第２の読取手段によって読取った読取作業単位に亘って指定する出力順序情報指定手段」とは異なり、本願発明の「出力順序制御手段」は「前記第１または第２の入力手段により入力した画像データの出力順序を制御する」と記載されているように、少なくとも、第１の入力手段により入力した画像データと第２の入力手段により入力した画像データの一方を、択一的に処理するものであるが、例えそれが原出願のもののように、第１の入力手段により入力した画像データと第２の入力手段により入力した画像データとに亘って出力順序を制御するものであったとしても、引用文献３には、上記３．（１０）に「すなわち、たとえば１０頁からなる書類Ａの２頁目と、５頁からなる書類Ｂの１頁目を読出して新しい書類Ｃを作成したり、読出した１０頁からなる書類Ａに、５頁からなる書類Ｂから読出した１頁目を追加したりあるいは挿入することができ、書類を効率良く利用したり、登録時の煩雑さを軽減することが可能となる。」と記載されているように、異なる書類の任意の頁をそれぞれ読出して順序を制御できる画像情報処理装置が示されていることから、当業者が容易になしえることにすぎない。
　
　相違点２について
　ハードディスクに蓄積された画像データを出力後に消去することは、例えば以下に示すように周知技術にすぎないから、引用発明にそのような手段を付加することに困難な点はない。
　
　周知例１．特開平２−２２２３６７号公報（平成２年９月５日出願公開）
「（従来の技術）
　近時、ファクシミリ装置はその普及に伴ってその機能が向上されてきており、大容量の画像メモリ、特に、ハードディスク装置等の外部メモリを備えたファクシミリ装置が出現している。
（中略）
この場合、記録出力に際して、画像メモリより読み出された受信電文は画像メモリから消去される。」（第１頁左下欄第１９行−右下欄第１４行）等の記載がされている。
　
　周知例２．特開平１−１０５６６２号公報
「メモリに複数頁の原稿像情報を記憶せしめ、
（中略）
　上記メモリから原稿像情報を読出した後上記メモリの複数の原稿像情報を消去せしめること
を特徴とする文書処理方法」（特許請求の範囲）、
「尚画像メモリとして光メモリを使用した例について説明したが、半導体メモリ、磁気デイスク、磁気テープ等のメモリ媒体を使用しても同様の効果が得られることは明らかである。」（第５頁左上欄第２０行−右上欄第３行）等の記載がされている。
　
６．むすび
　したがって、本願の請求項１に係る発明は、上記引用文献に記載された発明に基づいて当業者が容易に発明をすることができたものであるから、特許法第２９条第２項の規定により特許を受けることができない。
　よって、結論のとおり審決する。